(57)【特許請求の範囲】
【請求項１】
呼制御用のチャネルを持つ通信網に接続されるターミナルの要求に基づく回線切り替え制御方法であって，
複数ある通信チャネルのうち１チャネル使用時に，使用している通信チャネルが何らかの要因により通信できなくなった場合に，ターミナルから交換機へ呼制御用のチャネルにより通信チャネルの切り替えを通知し，
その通知を受けた交換機は現在の呼を保留し，
ターミナルは他の通信チャネルに切り替えて通信を行い，
交換機は新しい通信チャネルからの通信の交換動作を行う
ことを特徴とする回線切り替え制御方法。
【請求項２】
呼制御用のチャネルを持つ通信網に接続されるターミナルの要求に基づく回線切り替え制御方法であって，
サブアドレスが複数あるバス構成にて通信中に，何らかの要因により使用していたサブアドレスターミナルでの通信ができなくなった場合に，通信ができなくなったサブアドレスターミナルから交換機へ呼制御用のチャネルによりサブアドレスを変更することを通知し，
その通知を受けた交換機は現在の呼を保留し，
新たなサブアドレスターミナルから通信を行い，
交換機はその新たなサブアドレスターミナルからの通信の交換動作を行う
ことを特徴とする回線切り替え制御方法。
【請求項３】
呼制御用のチャネルを持つ通信網に接続されるターミナルの要求に基づく回線切り替え制御方法であって，
サブアドレスが複数あるバス構成にて通信中に，何らかの要因により使用していた第１のサブアドレスターミナルでの通信ができなくなった場合に，他の第２のサブアドレスターミナルから交換機へ呼制御用のチャネルによりサブアドレスを変更することを通知し，
その通知を受けた交換機は現在の呼を保留し，
前記第２のサブアドレスターミナルまたは新たな第３のサブアドレスターミナルから通信を行い，
交換機は前記第２または第３のサブアドレスターミナルからの通信の交換動作を行う
ことを特徴とする回線切り替え制御方法。
【請求項４】
呼制御用のチャネルを持つ通信網に接続されるターミナルの要求に基づく回線切り替え制御方法であって，
サブアドレスが複数あるバス構成にて通信中に，何らかの要因により使用していたサブアドレスターミナルでの通信ができなくなった場合に，呼制御用のチャネルにより相手ターミナルに対し現ターミナルは通信不能になることと，それ以降に通信する制御移行先となるターミナルのサブアドレスを通知し，
相手ターミナルは，この通知を受けた場合に通知されたサブアドレスに対して発呼することにより通信を再開する
ことを特徴とする回線切り替え制御方法。
【請求項５】
請求項１ないし請求項４のいずれかに記載の回線切り替え制御方法において，
前記通信網はＩＳＤＮであり，前記ターミナルはＩＳＤＮ基本インタフェースに接続されたターミナルである
ことを特徴とする回線切り替え制御方法。
【請求項６】
呼制御用のチャネルを持つ通信網に接続されるターミナルの要求に基づく回線切り替え制御方法であって，
通信中に何らかの要因により使用していたターミナルでの通信ができなくなった場合に，そのターミナルから交換機へ他の回線に接続されたターミナルに通信制御を移行して通信を行うことを呼制御用のチャネルにより通知し，
その通知を受けた交換機は現在の呼を保留し，
移行先の新たなターミナルに切り替えて通信を行い，
交換機は新たなターミナルからの通信の交換動作を行う
ことを特徴とする回線切り替え制御方法。
【請求項７】
呼制御用のチャネルを持つ通信網に接続されるターミナルの要求に基づく回線切り替え制御方法であって，
通信中に何らかの要因により使用していた第１のターミナルでの通信ができなくなった場合に，他の回線に接続された第２のターミナルから交換機へ，その第２のターミナルまたは別の回線に接続された第３のターミナルに通信制御を移行して通信を行うことを呼制御用のチャネルにより通知し，
その通知を受けた交換機は現在の呼を保留し，
移行先の前記第２または第３のターミナルに切り替えて通信を行い，
交換機は前記第２または第３のターミナルからの通信の交換動作を行う
ことを特徴とする回線切り替え制御方法。
【請求項８】
呼制御用のチャネルを持つ通信網に接続されるターミナルの要求に基づく回線切り替え制御方法であって，
通信中に何らかの要因により使用していた第１のターミナルでの通信ができなくなった場合に，呼制御用のチャネルにより相手ターミナルに対し現ターミナルは通信不能になることと，それ以降に通信する制御移行先となるターミナルの電話番号を通知し，
相手ターミナルは，この通知を受けた場合に通知された電話番号に対して発呼することにより通信を再開する
ことを特徴とする回線切り替え制御方法。
【請求項９】
請求項６ないし請求項８のいずれかに記載の回線切り替え制御方法において，
前記通信網はＩＳＤＮであり，前記ターミナルはＩＳＤＮ一次群インタフェースに接続されたターミナルである
ことを特徴とする回線切り替え制御方法。
【請求項１０】
呼制御用のチャネルを持つ通信網に接続されるターミナルの回線切り替え制御装置であって，
複数ある通信チャネルのうち１チャネル使用時に，使用している通信チャネルが何らかの要因により通信できなくなった場合に，通信の交換動作を行う交換機へ呼制御用のチャネルにより通信チャネルの切り替えを通知し，交換機に現在の呼を保留させる手段と，
前記通信チャネルの切り替え通知後に，他の通信チャネルに切り替えて通信を行い，前記交換機に対し新しい通信チャネルからの通信の交換動作を行わせる手段とを備えた
ことを特徴とする回線切り替え制御装置。
【請求項１１】
呼制御用のチャネルを持つ通信網に接続されるターミナルの回線切り替え制御装置であって，
サブアドレスが複数あるバス構成にて通信中に，何らかの要因により使用していたサブアドレスターミナルでの通信ができなくなった場合に，通信ができなくなったサブアドレスターミナルから通信の交換動作を行う交換機へ呼制御用のチャネルによりサブアドレスを変更することを通知し，交換機に現在の呼を保留させる手段と，
前記サブアドレスの変更通知後に，新たなサブアドレスターミナルから通信を行い，前記交換機に対しその新たなサブアドレスターミナルからの通信の交換動作を行わせる手段とを備えた
ことを特徴とする回線切り替え制御装置。
【請求項１２】
呼制御用のチャネルを持つ通信網に接続されるターミナルの回線切り替え制御装置であって，
サブアドレスが複数あるバス構成にて通信中に，何らかの要因により使用していた第１のサブアドレスターミナルでの通信ができなくなった場合に，他の第２のサブアドレスターミナルから通信の交換動作を行う交換機へ呼制御用のチャネルによりサブアドレスを変更することを通知し，交換機に現在の呼を保留させる手段と，
前記サブアドレスの変更通知後に，前記第２のサブアドレスターミナルまたは新たな第３のサブアドレスターミナルから通信を行い，前記交換機に対し前記第２または第３のサブアドレスターミナルからの通信の交換動作を行わせる手段とを備えた
ことを特徴とする回線切り替え制御装置。
【請求項１３】
呼制御用のチャネルを持つ通信網に接続されるターミナルの回線切り替え制御装置であって，
サブアドレスが複数あるバス構成にて通信中に，何らかの要因により使用していたサブアドレスターミナルでの通信ができなくなった場合に，呼制御用のチャネルにより相手ターミナルに対し現ターミナルは通信不能になることと，それ以降に通信する制御移行先となるターミナルのサブアドレスを通知する手段と，
前記通知を受けた相手ターミナルからの，通知したサブアドレスに対する発呼により通信を再開する手段とを備えた
ことを特徴とする回線切り替え制御装置。
【請求項１４】
呼制御用のチャネルを持つ通信網に接続されるターミナルの回線切り替え制御装置であって，
通信中に何らかの要因により使用していたターミナルでの通信ができなくなった場合に，そのターミナルから通信の交換動作を行う交換機へ他の回線に接続されたターミナルに通信制御を移行して通信を行うことを呼制御用のチャネルにより通知し，交換機に現在の呼を保留させる手段と，
前記通知後に，移行先の新たなターミナルに切り替えて通信を行い，前記交換機に対し新たなターミナルからの通信の交換動作を行わせる手段とを備えた
ことを特徴とする回線切り替え制御装置。
【請求項１５】
呼制御用のチャネルを持つ通信網に接続されるターミナルの回線切り替え制御装置であって，
通信中に何らかの要因により使用していた第１のターミナルでの通信ができなくなった場合に，他の回線に接続された第２のターミナルから通信の交換動作を行う交換機へ，その第２のターミナルまたは別の回線に接続された第３のターミナルに通信制御を移行して通信を行うことを呼制御用のチャネルにより通知し，交換機に現在の呼を保留させる手段と，
前記通知後に，移行先の前記第２または第３のターミナルに切り替えて通信を行い，前記交換機に対し前記第２または第３のターミナルからの通信の交換動作を行わせる手段とを備えた
ことを特徴とする回線切り替え制御装置。
【請求項１６】
呼制御用のチャネルを持つ通信網に接続されるターミナルの回線切り替え制御装置であって，
通信中に何らかの要因により使用していた第１のターミナルでの通信ができなくなった場合に，呼制御用のチャネルにより相手ターミナルに対し現ターミナルは通信不能になることと，それ以降に通信する制御移行先となるターミナルの電話番号を通知する手段と，
前記通知を受けた相手ターミナルからの，通知した電話番号に対する発呼により通信を再開する手段とを備えた
ことを特徴とする回線切り替え制御装置。
【発明の詳細な説明】
【０００１】
【産業上の利用分野】
本発明は，複数回線または複数チャネル制御可能な処理装置が他の処理装置と通信を行っている最中に何らかの要因により通信ができなくなった場合に，回線切り替えを行い通信を再開する回線切り替え制御方法および装置に関する。
【０００２】
【従来の技術】
従来技術では，複数回線または複数チャネル制御可能な処理装置にて他の処理装置と通信を行っている最中に何らかの要因により通信ができなくなった場合には，通信を一旦異常終了させ，違う回線を用いて再発呼することにより，先ほどと同じ通信相手と通信を行うようにされていた。
【０００３】
図１０は従来技術の動作説明図である。
通信元である情報処理装置内の本体ＣＰＵが，回線制御部のインタフェースボード内ＣＰＵによる制御のもとに，交換機を介して相手装置と通信中に何らかの要因により通信が不能になると，応答のタイムアウトが発生し，異常発生を検出する。また，相手装置でも無通信のタイムアウト発生により，異常または強制終了と判断し，交換機に対し呼切断要求を送る。交換機は呼切断要求に対して相手装置への呼を切断する。
【０００４】
本体ＣＰＵは，さらに通信を継続する場合には，別の通信用インタフェースボードを用いて通信要求を行い，そのインタフェースボード内ＣＰＵは交換機に呼接続要求を送る。この呼接続要求に対して，交換機は相手装置へ着信要求を送り，相手装置からの呼接続の通知により，呼接続完了通知をインタフェースボード内ＣＰＵへ送る。インタフェースボード内ＣＰＵは通信可能通知を本体ＣＰＵに通知し，本体ＣＰＵと相手装置との通信が再開される。
【０００５】
【発明が解決しようとする課題】
以上のように従来技術の場合，通信を開始する回線接続処理を最初に行うが，何らかの要因により回線を切り替えると，その切り替えた回線を用いて先ほどの通信相手と，再度通信を開始するための回線接続処理を行う必要があった。また，通信相手側では，タイムアウト検出等によりエラーを検出すると呼を切断し，その後に通信相手からの着信を待つことになるので，フォールトトレラントシステムにおける回線の切り替えを簡単に迅速に行うことができないという問題があった。
【０００６】
本発明は上記問題点の解決を図り，通信異常に伴う回線切り替え時に発生する接続処理を簡単にするとともに，その接続処理に要する時間を短縮することを目的とする。
【０００７】
【課題を解決するための手段】
図１は本発明の原理説明図である。
図１において，１０は通信元の情報処理装置，１１は通信の異常を検出する異常検出部，１２は通信の回線を切り替える回線切り替え制御部，１３（１３Ａ，１３Ｂ，１３Ｃ，…）は回線制御を行う回線制御部であって，例えばインタフェースボード等により構成されるもの，１４はＩＳＤＮ等のディジタル通信網，１５は交換機，１６は呼を保留する呼保留部，１７は通信相手の情報処理装置，１８は回線制御部，１９は発呼部を表す。図１では，異常検出部１１および回線切り替え制御部１２は，回線制御部１３とは別にあるが，各回線制御部１３内にあってもよい。
【０００８】
請求項１の発明の場合，情報処理装置１０が，回線制御部１３の複数ある通信チャネルのうち１チャネルを使用して情報処理装置１７と通信中に，使用している通信チャネルが何らかの要因により通信できなくなった場合に，通信に使用していた回線制御部１３から交換機１５へ呼制御用のチャネルにより通信チャネルの切り替えを通知する。交換機１５は，その通知を受けると，呼保留部１６により現在の呼を保留する。情報処理装置１０が回線制御部１３により他の通信チャネルに切り替えて通信を行うと，交換機１５は呼の保留を解除し，その新しい通信チャネルからの通信の交換動作を行う。
【０００９】
請求項２記載の発明の場合，次のように切り替え制御を行う。回線制御部１３Ａ，回線制御部１３Ｂは，図１に示すようにバス接続され，異なるサブアドレスが与えられている。情報処理装置１０が，例えば回線制御部１３Ａを用いて情報処理装置１７と通信中に，何らかの要因により回線制御部１３Ａでの通信ができなくなった場合に，回線制御部１３Ａから呼制御用のチャネルによりサブアドレスを変更することを交換機１５に通知する。交換機１５は，その通知を受けると，呼保留部１６により現在の呼を保留する。その後，情報処理装置１０は別のサブアドレスが与えられている回線制御部１３Ｂから通信を行い，交換機１５は，呼の保留を解除し，新しい回線制御部１３Ｂからの通信の交換動作を行う。
【００１０】
請求項３記載の発明の場合は，上記請求項２記載の発明と次の点が異なる。請求項２記載の発明では，交換機１５へのサブアドレスの変更通知を，それまでに使用していた回線制御部１３Ａを用いて行うのに対し，請求項３記載の発明では，変更先のサブアドレスを持つ回線制御部１３Ｂまたは別の第３の回線制御部から変更通知を行う。その後の動作は，請求項２記載の発明と同様である。
【００１１】
請求項４記載の発明の場合，請求項２または請求項３記載の発明と次の点が異なる。請求項２または請求項３記載の発明では，回線制御部１３Ａまたは回線制御部１３Ｂ等からサブアドレスの変更通知を行うと，交換機１５が呼を保留していたのに対し，請求項４記載の発明では，交換機１５は呼を保留することなく，サブアドレスの変更通知を情報処理装置１７へ送る。情報処理装置１７では，サブアドレスの変更通知を受信すると，現在の呼を切断し，発呼部１９により回線制御部１８を介して新しいサブアドレスを指定して発呼する。これによって通信が再開される。
【００１２】
上記構成において，ディジタル通信網１４は例えばＩＳＤＮであり，回線制御部１３Ａ，１３Ｂ，…はＩＳＤＮ基本インタフェースに接続されたものである（請求項５記載の発明）。
【００１３】
請求項６記載の発明の場合，情報処理装置１０は，異なる回線に接続された回線制御部１３を複数備えている。情報処理装置１０が，回線制御部１３を用いて情報処理装置１７と通信中に，何らかの要因により回線制御部１３での通信ができなくなった場合に，その回線制御部１３から呼制御用のチャネルにより回線制御部１３を変更することを交換機１５に通知する。交換機１５は，その通知を受けると，呼保留部１６により現在の呼を保留する。その後，情報処理装置１０は別の回線制御部１３から通信を行い，交換機１５は，呼の保留を解除し，新しい回線制御部１３からの通信の交換動作を行う。
【００１４】
請求項７記載の発明の場合，上記請求項６記載の発明と次の点が異なる。請求項６記載の発明では，交換機１５への回線制御部１３の変更通知を，それまでに使用していた回線制御部１３を用いて行うのに対し，請求項７記載の発明では，変更先の回線制御部１３または別の第３の回線制御部から変更通知を行う。その後の動作は，請求項６記載の発明と同様である。
【００１５】
請求項８記載の発明の場合，請求項６または請求項７記載の発明と次の点が異なる。請求項６または請求項７記載の発明では，回線制御部１３の変更通知を行うと，交換機１５が呼を保留していたのに対し，請求項８記載の発明では，交換機１５は呼を保留することなく，回線制御部１３の変更通知を情報処理装置１７へ送る。情報処理装置１７では，回線制御部１３の変更通知を受信すると，現在の呼を切断し，発呼部１９により回線制御部１８を介して新しい回線制御部１３の電話番号に対して発呼する。これによって通信が再開される。
【００１６】
請求項６ないし請求項８記載の発明において，ディジタル通信網１４は例えばＩＳＤＮであり，回線制御部１３はＩＳＤＮ一次群インタフェースに接続されたものである（請求項９記載の発明）。
【００１７】
請求項１０記載の発明は，前記請求項１記載の回線切り替え制御方法を実現する装置の発明である。請求項１１記載の発明は，前記請求項２記載の回線切り替え制御方法を実現する装置の発明である。請求項１２記載の発明は，前記請求項３記載の回線切り替え制御方法を実現する装置の発明である。請求項１３記載の発明は，前記請求項４記載の回線切り替え制御方法を実現する装置の発明である。請求項１４記載の発明は，前記請求項６記載の回線切り替え制御方法を実現する装置の発明である。請求項１５記載の発明は，前記請求項７記載の回線切り替え制御方法を実現する装置の発明である。請求項１６記載の発明は，前記請求項８記載の回線切り替え制御方法を実現する装置の発明である。
【００１８】
【作用】
請求項１，２，３，６，７記載の発明の場合，情報処理装置１０からの通信チャネル，サブアドレスターミナルまたは回線（電話番号）の切り替え通知に対して，交換機１５は現在の呼を保留し，切り替え後の新しい通信チャネル，サブアドレスターミナルまたは回線（電話番号）からの通信があると，それを情報処理装置１７へ送る。このように回線切り替え時に通信先相手を保留状態にしたままで切り替え制御が行われるので，相手の情報処理装置１７は待ち時間を長めに確保するだけで通信を続行することができ，再度の回線接続処理は不要となる。
【００１９】
また，請求項４，８記載の発明の場合，情報処理装置１７は，情報処理装置１０からの回線（電話番号）の切り替え通知を受信したならば，通知された電話番号を用いて発呼し，通信を再開するので，回線接続処理を簡単に行うことができ，また無通信のタイムアウト発生等による異常検出処理が省略されるので，回線切り替えに伴う接続処理に必要な時間を最小限のものにすることができ，迅速な通信の再開が可能になる。
【００２０】
【実施例】
図２は，本発明を適用するシステム構成の例を示す。
情報処理装置１０は，情報処理用の本体ＣＰＵ２０を持つ。また，ＩＳＤＮ基本インタフェースに接続される回線制御部１３Ａ，１３Ｂを持つ。この回線制御部１３Ａ，１３Ｂは，インタフェースボードとして情報処理装置１０に組み込まれており，ＩＳＤＮバス接続形式により最大８個まで接続可能である。これらはＩＳＤＮ網２２に接続されている。また，各回線制御部１３Ａ，１３Ｂは，それぞれ回線制御を行うためのインタフェースボード内ＣＰＵ２１Ａ，２１Ｂを備える。
【００２１】
以下，図１に示すシステムにおいて，ＩＳＤＮ基本インタフェースを使用して通信を行っていた場合の回線切り替えについて説明する。
ＩＳＤＮ基本インタフェースの構造は，ユーザ情報転送用である２つのＢチャネルと呼制御等の信号情報転送用のＤチャネルとからなっている。今，情報処理装置１０が回線制御部１３Ａを用いてＩＳＤＮ網２２を経由し，情報処理装置１７との通信をＢチャネルを１つ使用して行っていたとする。通信中に何らかの要因で回線制御部１３Ａによる通信が不能となった場合，情報処理装置１０は，今までの回線制御部１３Ａによる通信を回線制御部１３Ｂへ移行する。そして，移行した回線制御部１３Ｂにより通信を再開する。
【００２２】
このとき，ＩＳＤＮ網２２に対して通知する内容は，回線を切り替える指示と，例えば切り替え後のサブアドレスである。この情報は，情報処理装置１０の回線制御部１３ＡからＤチャネルでＩＳＤＮ網２２に送信される。回線制御部１３Ａが故障によりＤチャネルの送信もできない場合には，他の回線制御部１３ＢのＤチャネルによって送信される。
【００２３】
これを受けたＩＳＤＮ網２２は，情報処理装置１０から送られてきた情報をもとに，切り替え移行先のサブアドレスを認識し，そのサブアドレスの回線制御部１３Ｂと通信して，Ｂ１チャネルまたはＢ２チャネルのどちらを使用するかを決定し，例えば切り替え前にＢ２チャネルを使用し，切り替え後はＢ１チャネルを使用する場合には，情報処理装置１０の回線制御部１３Ｂから送信されたＢ１チャネルの通信データをＢ２チャネルにＩＳＤＮ網２２が変換して，情報処理装置１７へ送信する。
【００２４】
このときに情報処理装置１０がＩＳＤＮ網２２に送信する通信チャネル切り替え指示を，図３ないし図６を用いて説明する。
図３（ａ）はＩＳＤＮ網２２にＤチャネルで送るフレームの構成を示している。Ｄチャネルで送られるフレームは，開始を示すフラグと，６ビットのサービス・アクセス・ポイントの識別子ＳＡＰＩと，１ビットのコマンド／レスポンスビットＣ／Ｒと，１ビットのアドレス・フィールド拡張ビットＥＡ（０）と，７ビットの端末機能の識別情報ＴＥＩと，１ビットのアドレス・フィールド拡張ビットＥＡ（１）と，８ビットの制御部と，最大２６０バイトの情報部と，２バイトのエラー検出用のフラグ・チェック・シーケンスＦＣＳと，終了を示すフラグとからなる。制御部は，フレームの種別を示す３ビットのＵ−ＣＭＤ１と，ポール／ファイナルビットＰ／Ｆと，２ビットのＵ−ＣＭＤ２と，２ビットの“１１”からなる。
【００２５】
制御部の制御コマンドによるフレーム種別は，図３（ｂ）に示すとおりである。ここで，フレーム名称ＳＡＢＭＥ，ＤＭ，ＵＩ，ＤＩＳＣ，ＵＡ，ＦＲＭＲ，ＸＩＤは従来からあったものであり，本発明には関係ないので詳しい説明は省略する。Ｕ−ＣＭＤ１が“１０１”でＵ−ＣＭＤ２が“００”のＸＬＣ（チャネル＆ライン・ネゴシエーションと称する）は，本発明で追加されたもので従来なかったものである。本実施例では，この制御コマンドＸＬＣを指定して，回線の切り替えを通知する。
【００２６】
図４〜図６はフレーム内の情報部の詳細を示している。フレーム内の制御部で制御コマンドＸＬＣが指定された場合，以降の情報部は，図４（ａ）に示すように，１バイトの切り替えコマンド（ＣＭＤ）と切り替え情報とからなる。切り替えＣＭＤと送信先およびその内容は図４（ｂ）に示すとおりである。
【００２７】
切り替えＣＭＤ＝０１（１６進数）は，送信先がＩＳＤＮ網２２の交換機で，ＩＳＤＮ基本インタフェースにおいてＢ１チャネルからＢ２チャネルへ切り替えることを意味する。このとき，フレーム内の情報部は図５（ａ）に示すようになり，切り替え情報は意味を持たない。
【００２８】
切り替えＣＭＤ＝０２（１６進数）は，送信先がＩＳＤＮ網２２の交換機で，ＩＳＤＮ基本インタフェースにおいてＢ２チャネルからＢ１チャネルへ切り替えることを意味する。このとき，フレーム内の情報部は図５（ｂ）に示すようになり，切り替え情報は意味を持たない。
【００２９】
切り替えＣＭＤ＝０３（１６進数）は，送信先がＩＳＤＮ網２２の交換機で，ＩＳＤＮ基本インタフェースにおいてサブアドレスを切り替えることを意味する。このとき，フレーム内の情報部は図５（ｃ）に示すようになり，切り替え情報は変更後のサブアドレスを示す。
【００３０】
切り替えＣＭＤ＝０４（１６進数）は，送信先がＩＳＤＮ網２２の交換機で，電話番号を切り替えることを意味する。このとき，フレーム内の情報部は図５（ｄ）に示すようになり，切り替え情報が変更後の電話番号となる。
【００３１】
切り替えＣＭＤ＝１１（１６進数）は，送信先がＩＳＤＮ網２２の交換機で，ＩＳＤＮ一次群インタフェースにおいてＢチャネルを切り替えることを意味する。このとき，フレーム内の情報部は図６（ａ）に示すようになり，切り替え情報は変更前のＢチャネルの番号と変更後のＢチャネルの番号である。
【００３２】
切り替えＣＭＤ＝１２（１６進数）は，送信先がＩＳＤＮ網２２の交換機で，ＩＳＤＮ一次群インタフェースにおいてＨ０  チャネルを切り替えることを意味する。このとき，フレーム内の情報部は図６（ｂ）に示すようになり，切り替え情報は変更前のＨ０  チャネルの番号と変更後のＨ０  チャネルの番号である。
【００３３】
切り替えＣＭＤ＝８３（１６進数）は，送信先が相手端末（情報処理装置１７）であり，ＩＳＤＮ基本インタフェースにおいてサブアドレスを切り替えることを意味する。このとき，フレーム内の情報部は図６（ｃ）に示すようになり，切り替え情報は変更前および変更後のサブアドレスである。
【００３４】
切り替えＣＭＤ＝８４（１６進数）は，送信先が相手端末（情報処理装置１７）であり，電話番号を切り替えることを意味する。このとき，フレーム内の情報部は図６（ｄ）に示すようになり，切り替え情報は変更前の電話番号と変更後の電話番号である。
【００３５】
以上の切り替えＣＭＤおよび切り替え情報は一例であり，他にも種々定めることが可能である。
例えば，図２に示す情報処理装置１０が回線制御部１３Ａで通信中に何らかの要因により通信が不能になったとき，別のサブアドレスである回線制御部１３Ｂに切り替える場合には，フレーム内の制御部Ｕ−ＣＭＤ１を“１０１”，Ｕ−ＣＭＤを“００”とし，同じフレーム内の情報部の切り替えＣＭＤを（０３）ｈｅｘ  とし，切り替え情報として回線制御部１３Ｂのサブアドレスを設定してＩＳＤＮ網２２へ送信する。
【００３６】
このフレームを受信したＩＳＤＮ網２２は，フレーム内のＵ−ＣＭＤ１とＵ−ＣＭＤとから切り替えの指示であることを認識する。切り替えの指示であると認識したＩＳＤＮ網２２は，さらにフレーム内の情報部にある切り替えＣＭＤを認識する。ここでは，サブアドレスの切り替え指示であるので，フレーム内の情報部で指定された変更後のサブアドレスからの送信を待ち，必要であればＩＳＤＮ網２２がＢ１チャネルからＢ２チャネルまたはその逆の変換を行い，通信相手である情報処理装置１７に送信する。
【００３７】
これにより，サブアドレスの切り替えを，通信相手である情報処理装置１７に意識させないで行うことができ，情報処理装置１７の回線を切断することなく通信を再開することができる。
【００３８】
以上の実施例の説明では，サブアドレスの切り替えの例を説明したが，ＩＳＤＮ基本インタフェースはＢチャネルが２チャネルあるので，Ｂ１チャネルからＢ２チャネルへの切り替え，またはＢ２チャネルからＢ１チャネルへの切り替えも可能である。このときは，切り替えＣＭＤとして（０１）ｈｅｘ  または（０２）ｈｅｘ  を指定する。
【００３９】
また，ＩＳＤＮ一次群インタフェースでは，Ｂチャネルが２４本あるので，ｎ番目のＢｎチャネルからｍ番目のＢｍチャネルへの切り替え制御を同様に行うことができる。このときは，切り替えＣＭＤとして（１１）ｈｅｘ  を指定する。Ｈ０  チャネルの切り替えも同様である。
【００４０】
また，情報処理装置１７が切り替えＣＭＤを認識して，情報処理装置１７から発呼することにより，新しい変更後のサブアドレスまたは変更後の電話番号で通信を再開することもできる。この場合，情報処理装置１０から情報処理装置１７へ通知するフレームにおける切り替えＣＭＤとして，サブアドレスの切り替えでは（８３）ｈｅｘ  を，電話番号の切り替えでは（８４）ｈｅｘ  を指定する。
【００４１】
図７は，ＩＳＤＮ基本インタフェースにおいてＢ１チャネルからＢ２チャネルへの切り替えを行う場合の動作説明図である。
図２に示す情報処理装置１０の本体ＣＰＵ２０が，相手装置の情報処理装置１７と回線制御部１３ＡのＢ１チャネルを使用して通信中に，何らかの要因によりＢ１チャネルでの通信が不能になると，インタフェースボード内ＣＰＵ２１Ａは，前述したＤチャネルのフレームで，Ｂ１チャネルからＢ２チャネルへ切り替えることをＩＳＤＮ網２２の交換機へ通知する。交換機は現在の呼を保留する。
【００４２】
インタフェースボード内ＣＰＵ２１Ａは，Ｂ２チャネルで通信を試み，交換機から正常の応答があれば，以後，通信チャネルをＢ２チャネルとして情報処理装置１０と情報処理装置１７との通信を再開する。
【００４３】
図８は，ＩＳＤＮ基本インタフェースにおいてサブアドレスの切り替えを行う場合の動作説明図である。
図２に示す情報処理装置１０の本体ＣＰＵ２０が，相手装置の情報処理装置１７と回線制御部１３Ａのインタフェースボードを使用して通信中に，何らかの要因により通信が不能になると，インタフェースボード内ＣＰＵ２１Ａまたは他のインタフェースボード内ＣＰＵ２１Ｂは，前述したＤチャネルのフレームで，回線制御部１３Ａのサブアドレスから回線制御部１３Ｂのサブアドレスに切り替えることをＩＳＤＮ網２２の交換機へ通知する。交換機は現在の呼を保留する。
【００４４】
その後，インタフェースボード内ＣＰＵ２１Ｂは通信を試み，交換機から正常の応答があれば，以後，新たなサブアドレスの回線制御部１３Ｂを用いて，情報処理装置１０と情報処理装置１７との通信を再開する。
【００４５】
図９は，ＩＳＤＮ基本インタフェースにおいてサブアドレスの切り替えを行う場合であって，交換機が呼を保留しない場合の動作説明図である。
図２に示す情報処理装置１０の本体ＣＰＵ２０が，相手装置の情報処理装置１７と回線制御部１３Ａのインタフェースボードを使用して通信中に，何らかの要因により通信が不能になると，インタフェースボード内ＣＰＵ２１Ａまたは他のインタフェースボード内ＣＰＵ２１Ｂは，前述したＤチャネルのフレームで，回線制御部１３Ａのサブアドレスから回線制御部１３Ｂのサブアドレスへ切り替えることをＩＳＤＮ網２２の交換機を介して情報処理装置１７へ通知する。その後，回線制御部１３Ａからの呼を切断する。
【００４６】
一方，情報処理装置１７は，サブアドレスの切り替え通知を受信すると，現在の呼を切断するとともに，通知された回線制御部１３Ｂのサブアドレスに発呼（呼接続）する。ＩＳＤＮ網２２の交換機は，回線制御部１３Ｂに呼接続要求を送り呼接続を行う。これにより，新たなサブアドレスの回線制御部１３Ｂを用いて，情報処理装置１０と情報処理装置１７との通信を再開することができる。
【００４７】
ＩＳＤＮ一次群インタフェースの場合の通信チャネルの切り替え，また電話番号の切り替えもまったく同様に制御可能である。
【００４８】
【発明の効果】
以上説明したように，本発明によれば，フォールトトレラント等のシステムにおいて回線を切断することなく，通信を一時中断するだけで通信チャネルまたはサブアドレスまたは電話番号を切り替えて，通信の再開が可能になる。したがって，通信回線を実質的に多重化したのと同様な効果があり，通信の信頼性が向上する。
【００４９】
また，相手装置に切り替え先を通知し，相手装置からの発呼により通信を再開する方式では，タイムアウト検出や回線の切り替えに伴う処理の待ち時間が不要になるので，通信を簡易かつ迅速に再開することが可能になる。
【図面の簡単な説明】
【図１】本発明の原理説明図である。
【図２】本発明を適用するシステム構成の例を示す図である。
【図３】Ｄチャネルのフレーム構成とフレーム種別の例を示す図である。
【図４】本発明の実施例におけるフレーム内の情報部の詳細を示す図である。
【図５】本発明の実施例におけるフレーム内の情報部の具体例を示す図である。
【図６】本発明の実施例におけるフレーム内の情報部の具体例を示す図である。
【図７】本発明の実施例によるＢチャネル切り替え制御時（交換機で呼を保留する場合）の動作説明図である。
【図８】本発明の実施例によるサブアドレス切り替え制御時（交換機で呼を保留する場合）の動作説明図である。
【図９】本発明の実施例によるサブアドレス切り替え制御時（交換機で呼を保留しない場合）の動作説明図である。
【図１０】従来技術の動作説明図である。
【符号の説明】
１０    情報処理装置
１１    異常検出部
１２    回線切り替え制御部
１３    回線制御部
１４    ディジタル通信網
１５    交換機
１６    呼保留部
１７    情報処理装置（相手装置）
１８    回線制御部
１９    発呼部
【図１】
0003574493.tif 000002
【図２】
0003574493.tif 000003
【図３】
0003574493.tif 000004
【図４】
0003574493.tif 000005
【図５】
0003574493.tif 000006
【図６】
0003574493.tif 000007
【図７】
0003574493.tif 000008
【図８】
0003574493.tif 000009
【図９】
0003574493.tif 000010
【図１０】
0003574493.tif 000011